(57)【要約】【課題】電気部品同士が電気的に接続されて使用されるパチンコ機において、互いに電気的に接続すべき２つの部分の電気的接触が予定外に損なわれてしまうことを防止するとともに、互いに装着されているそれら２つの部分を意図的に互いに分離する作業を容易にする。【解決手段】パチンコ機において、本体枠１０と遊技盤２０とが互いに概して平行に重なり合う姿勢で使用されるとともに、それらが接続装置３６によって互いに電気的にかつ機械的に接続される。接続装置は、遊技盤を本体枠に、片持ち状に機械的に、かつ第１および第２制御基盤３２，３４に関して電気的に接続するために、本体枠には固定的に装着される一方、遊技盤には分離可能に装着される。さらに、接続装置は、その接続装置に対する遊技盤の装着・分離を、遊技盤のそれの厚さ方向における変位が機械的に阻止される状態で可能にする。【選択図】  図３
2004350718.tif 000002
【特許請求の範囲】
【請求項１】
遊技者による遊技を行うための遊技盤が本体枠に分離可能に装着されて使用される遊技機であって、
第１の電気部品が搭載される第１の板部と、
その第１の電気部品に電気的に接続されるべき第２の電気部品が搭載されるとともに、前記第１の板部に対して概して平行に重なり合う姿勢で使用される第２の板部と、
その第２の板部を前記第１の板部に、片持ち状に機械的に、かつ前記第１および第２の電気部品に関して電気的に接続するために、第１の板部には固定的に装着される一方、第２の板部には分離可能に装着される接続装置であって、その接続装置に対する第２の板部の装着・分離を、第２の板部のそれの厚さ方向における変位が機械的に阻止される状態で可能にするものと
を含む遊技機。
【請求項２】
前記第１および第２の板部の一方が前記本体枠であり、他方が前記遊技盤である請求項１に記載の遊技機。
【請求項３】
第１および第２の電気部品を互いに電気的に接続するために分離可能に嵌合されて使用されるコネクタ対であって、
第１のハウジングと、前記第１の電気部品に電気的に接続される第１の接触具であって前記第１のハウジングに装着されるものとを有する第１のコネクタと、
前記第１のハウジングと嵌合可能な第２のハウジングと、前記第２の電気部品に電気的に接続される第２の接触具であって、前記第２のハウジングに装着されるとともに、前記第１および第２のハウジングの嵌合状態において前記第１の接触具に電気的に接触するものとを有する第２のコネクタと
を含み、
それら第１および第２のコネクタの少なくとも一方は、前記第１および第２の電気部品のうち対応するものにケーブルを介して電気的に接続されており、
それら第１および第２のコネクタはそれぞれ、前記ケーブルが延びる方向に対して交差する一方向をそれら第１および第２のコネクタの嵌合方向として、その嵌合方向において装着・分離が可能な状態で相手コネクタに機械的に係合するとともに、前記嵌合方向に対して交差する方向に相手コネクタが変位することを機械的に阻止する第１および第２の係合部を含み、
前記第１および第２の接触具はそれぞれ、前記第１および第２のコネクタの嵌合状態において突き当て係合によって互いに電気的に接触する第１および第２の接触面を含むコネクタ対。
【請求項４】
前記第１および第２の接触面が、それぞれ前記嵌合方向に対して平行に延びるように形成され、それにより、前記嵌合方向において相手接触面にスライド可能に電気的に接触する請求項３に記載のコネクタ対。
【請求項５】
前記第１および第２のハウジングに前記第１および第２の接触面がそれぞれ複数個、それらを前記嵌合方向において投影した場合に互いに重なり合うことがないように位置決めされて装着されている請求項３または４に記載のコネクタ対。
【請求項６】
互いに対応する第１および第２の接触面を１組とする複数組のうちの少なくとも一部が、各組に属する第１および第２の接触面が前記第１および第２のコネクタの相対位置が分離位置から装着位置に向かう際に最初に互いに電気的に接触する時期に関して互いに異なる請求項５に記載のコネクタ対。
【請求項７】
前記第１および第２の接触面の少なくとも一方に関し、それの複数個の接触面のうちの少なくとも一部が、前記嵌合方向に対して直角に交差する一平面上において一列を形成しないように配置されている請求項５または６に記載のコネクタ対。
【発明の詳細な説明】
【０００１】
【発明の属する技術分野】
本発明は、パチンコ機、アレンジボール遊技機、パチンコ球やコイン、メダルを遊技媒体として使用するスロットマシン等、電気部品同士を電気的に接続する接続装置を備えた遊技機、および、そのような電気的接続を行うためのコネクタ対に関し、特に、電気的接続を行う構造の改良に関する。
【０００２】
【従来の技術】
遊技機においては一般に、いくつかの電気部品がいくつかの板部に別々に搭載され、それら電気部品が相互に電気的に接続される。その電気部品としては、例えば、電源、電子回路、コンピュータ等がある。その板部の一例は遊技機の本体枠であり、別の例はその本体枠に分離可能に装着される遊技盤である。それらいくつかの板部は、メンテナンス、部品交換等のために作業者によって互いに分離されて取り外されることが必要である場合がある。そのため、それら板部に別々に搭載されるいくつかの電気部品は、分離可能に互いに電気的に装着される。
【０００３】
この装着のため、従来から、分離可能に嵌合されて使用される一対のコネクタ対が遊技機に使用されている（特許文献１参照）。
【０００４】
【特許文献１】
特開平８−２２７７６２号公報
【０００５】
この特許文献１には、遊技機におけるプリント基板とその遊技機に使用される電気部品または他の電子基板とを互いに接続する一対のコネクタが記載されている。具体的には、プリント基板に固定された第１のコネクタと電気部品または他の電子基板に接続される第２のコネクタとが記載されている。
【０００６】
それら第１および第２のコネクタはそれぞれ、一方向に嵌合する第１および第２のハウジングを備えている。さらに、第１のコネクタは、プリント基板に電気的に接続される第１の端子を備え、同様に、第２のコネクタは、電気部品または他の電子基板に電気的に接続される第２の端子を備えている。それら第１および第２の端子は、第１および第２のハウジングの嵌合に伴って凹凸嵌合させられる。
【０００７】
第１および第２のハウジングの嵌合方向は、第１および第２の端子の嵌合方向と共通し、具体的には、いずれの方向も、第１のコネクタが固定されているプリント基板の面に対して直角な方向である。また、第２のコネクタに、それの第２の端子に電気的に接続された状態でケーブルが接続される場合がある。この場合には、上述の嵌合方向は従来、そのケーブルの方向に対して平行であった。
【０００８】
【発明が解決しようとする課題】
遊技機は一般的に、その使用中に振動する。その振動は、プリント基板にそれの厚さ方向における振動として現れる。また、ケーブルを繰り返し引張る力としても現れる。
【０００９】
これに対し、従来のコネクタ対においては、それの嵌合方向が、上述の振動方向および引張る力の方向に対して平行であるため、遊技機の使用中に予定外にコネクタ対が外れてしまうことがないようにコネクタ対を機械的にロックする機構が設けられている。
【００１０】
遊技機の使用中に、コネクタ対が予定外に離脱しないようにするためには、ロック機構がコネクタ対をより強固に結合させることが望ましい。しかし、遊技機においては、前述のように、メンテナンス、部品交換等のためにコネクタ対を作業者が分離することが必要である。このような必要性が存在するにもかかわらず、ロック機構を強固なものにせざるを得ないと、作業者はロック機構を解除し難くなり、その結果、分離作業性が悪化する。
【００１１】
以上説明した事情を背景とし、本発明は、電気部品同士を電気的に接続する接続装置を備えた遊技機、および、そのような電気的接続を行うためのコネクタ対において、互いに電気的に接続すべき２つの部分が互いに接続されて使用されている状態においてそれら２つの部分の少なくとも一方に力が作用する向きに対して交差する方向をそれら２つの部分が互いに装着されるべき向きとして選定することにより、それら２つの部分の電気的接触が予定外に損なわれてしまうことを防止するとともに、互いに装着されているそれら２つの部分を意図的に互いに分離する作業を容易にすることを課題としてなされたものである。
【００１２】
【課題を解決するための手段および発明の効果】
本発明によって下記の各態様が得られる。各態様は、項に区分し、各項に番号を付し、必要に応じて他の項の番号を引用する形式で記載する。これは、本明細書に記載の技術的特徴のいくつかおよびそれらの組み合わせのいくつかの理解を容易にするためであり、本発明書に記載の技術的特徴やそれらの組み合わせが以下の態様に限定されると解釈されるべきではない。
【００１３】
（１）  遊技者による遊技を行うための遊技盤が本体枠に分離可能に装着されて使用される遊技機であって、
第１の電気部品が搭載される第１の板部と、
その第１の電気部品に電気的に接続されるべき第２の電気部品が搭載されるとともに、前記第１の板部に対して概して平行に重なり合う姿勢で使用される第２の板部と、
その第２の板部を前記第１の板部に、片持ち状に機械的に、かつ前記第１および第２の電気部品に関して電気的に接続するために、第１の板部には固定的に装着される一方、第２の板部には分離可能に装着される接続装置であって、その接続装置に対する第２の板部の装着・分離を、第２の板部のそれの厚さ方向における変位が機械的に阻止される状態で可能にするものと
を含む遊技機。
【００１４】
この遊技機においては、第１および第２の板部が互いに概して平行に重なり合う姿勢で使用されるとともに、それら板部が接続装置によって互いに電気的にかつ機械的に接続される。具体的には、接続装置は、第２の板部を第１の板部に、片持ち状に機械的に、かつ第１および第２の電気部品に関して電気的に接続するために、第１の板部には固定的に装着される一方、第２の板部には分離可能に装着される。さらに、接続装置は、その接続装置に対する第２の板部の装着・分離を、第２の板部のそれの厚さ方向における変位が機械的に阻止される状態で可能にする。
【００１５】
したがって、この遊技機によれば、それの使用中に、第２の板部がそれの厚さ方向に振動することがあっても、それが原因で第２の板部が接続装置から完全に外れてしまうか、そうではないにしても電気的な接触状態が不完全になってしまう事態の発生が回避される。
【００１６】
さらに、この遊技機によれば、第２の板部が上述のように接続装置から予定外に離脱してしまう事態を想定せずに済むため、第２の板部が接続装置から予定外に離脱することを確実に防止するためにロック機構を設けるにしても、そのロック機構は、第２の板部を接続装置に小さな力で結合するもので足りる。
【００１７】
したがって、この遊技機によれば、メンテナンス、部品交換等のために第２の板部を接続装置から分離することが必要である場合に、作業者は、その分離作業を小さな力で行うことが可能となり、作業性が向上する。
【００１８】
このように、この遊技機によれば、第２の板部の予定外の離脱を防止しつつ、第２の板部の意図的な分離を容易にすることが可能となる。
【００１９】
（２）  遊技者による遊技を行うための遊技盤が本体枠に分離可能に装着されて使用される遊技機であって、
第１の電気部品が搭載された第１の板部と、
その第１の電気部品に電気的に接続されるべき第２の電気部品が搭載されるとともに、前記第１の板部に対して概して平行に重なり合う姿勢で使用される第２の板部と、
前記第１および第２の電気部品を互いに電気的に接続するために分離可能に嵌合されて使用される第１および第２のコネクタと
を含み、かつ、
前記第１のコネクタは、
（ａ）第１のハウジングと、
（ｂ）前記第１の電気部品に電気的に接続される第１の接触具であって前記第１のハウジングに装着されるものと
を含み、
前記第２のコネクタは、
（ｃ）前記第１のハウジングと嵌合可能な第２のハウジングと、
（ｄ）前記第２の電気部品に電気的に接続される第２の接触具であって、前記第２のハウジングに装着されるとともに、前記第１および第２のハウジングの嵌合状態において前記第１の接触具に電気的に接触するものと
を含み、
それら第１および第２のコネクタの少なくとも一方は、前記第１および第２の電気部品のうち対応するものにケーブルを介して電気的に接続されており、
前記第１および第２のコネクタはそれぞれ、前記ケーブルの方向に対して交差する一方向をそれら第１および第２のコネクタの嵌合方向として、その嵌合方向において装着・分離が可能な状態で相手コネクタに機械的に係合するとともに、前記嵌合方向に対して交差する方向に相手コネクタが変位することを機械的に阻止する第１および第２の係合部を含む遊技機。
【００２０】
この遊技機においては、前記（１）項に係る遊技機と同様に、第１および第２の電気部品がそれぞれ搭載される第１および第２の板部が互いに概して平行に重なり合う姿勢で使用される。それら板部は、第１および第２のコネクタによって互いに電気的にかつ機械的に接続される。それら第１および第２のコネクタの少なくとも一方は、第１および第２の電気部品のうち対応するものにケーブルを介して電気的に接続されている。
【００２１】
さらに、それら第１および第２のコネクタはそれぞれ、第１および第２の係合部を含んでいる、それら第１および第２の係合部は、前記ケーブルの方向に対して交差する一方向をそれら第１および第２のコネクタの嵌合方向として、その嵌合方向において装着・分離が可能な状態で相手コネクタに機械的に係合するとともに、前記嵌合方向に対して交差する方向に相手コネクタが変位することを機械的に阻止する。
【００２２】
したがって、この遊技機によれば、それの使用中に、前記ケーブルにそれを引張る力が作用することがあっても、それが原因で第１および第２のコネクタが完全に外れてしまうか、そうではないにしても電気的な接触状態が不完全になってしまう事態の発生が回避される。
【００２３】
さらに、この遊技機によれば、第１および第２のコネクタが上述のように予定外に外れてしまう事態を想定せずに済むため、それらコネクタが予定外に離脱することを確実に防止するためにロック機構を設けるにしても、そのロック機構は、それらコネクタを小さな力で結合するもので足りる。
【００２４】
したがって、この遊技機によれば、メンテナンス、部品交換等のために第２の板部を第１の板部から分離することが必要である場合に、作業者は、その分離のためのコネクタの分離作業を小さな力で行うことが可能となり、作業性が向上する。
【００２５】
このように、この遊技機によれば、第１および第２のコネクタの予定外の離脱を防止しつつ、それらコネクタの意図的な分離を容易にすることが可能となる。
【００２６】
（３）  前記第１および第２の板部の一方が前記本体枠であり、他方が前記遊技盤である（１）または（２）項に記載の遊技機。
【００２７】
この遊技機によれば、それの本体枠と遊技盤との電気的接続が予定外に断絶することを防止しつつ、遊技盤の意図的な分離を容易にすることが可能となる。
【００２８】
（４）  第１および第２の電気部品を互いに電気的に接続するために分離可能に嵌合されて使用されるコネクタ対であって、
第１のハウジングと、前記第１の電気部品に電気的に接続される第１の接触具であって前記第１のハウジングに装着されるものとを有する第１のコネクタと、
前記第１のハウジングと嵌合可能な第２のハウジングと、前記第２の電気部品に電気的に接続される第２の接触具であって、前記第２のハウジングに装着されるとともに、前記第１および第２のハウジングの嵌合状態において前記第１の接触具に電気的に接触するものとを有する第２のコネクタと
を含み、
それら第１および第２のコネクタの少なくとも一方は、前記第１および第２の電気部品のうち対応するものにケーブルを介して電気的に接続されており、
それら第１および第２のコネクタはそれぞれ、前記ケーブルが延びる方向に対して交差する一方向をそれら第１および第２のコネクタの嵌合方向として、その嵌合方向において装着・分離が可能な状態で相手コネクタに機械的に係合するとともに、前記嵌合方向に対して交差する方向に相手コネクタが変位することを機械的に阻止する第１および第２の係合部を含み、
前記第１および第２の接触具はそれぞれ、前記第１および第２のコネクタの嵌合状態において突き当て係合によって互いに電気的に接触する第１および第２の接触面を含むコネクタ対。
【００２９】
このコネクタ対は、第１および第２のコネクタにより構成され、第１および第２の電気部品を互いに電気的に接続するために分離可能に嵌合されて使用される。それら第１および第２のコネクタの少なくとも一方は、第１および第２の電気部品のうち対応するものにケーブルを介して電気的に接続されている。
【００３０】
さらに、それら第１および第２のコネクタはそれぞれ、第１および第２の係合部を含んでいる。それら第１および第２の係合部は、前記ケーブルが延びる方向に対して交差する一方向をそれら第１および第２のコネクタの嵌合方向として、その嵌合方向において装着・分離が可能な状態で相手コネクタに機械的に係合するとともに、前記嵌合方向に対して交差する方向に相手コネクタが変位することを機械的に阻止する。
【００３１】
したがって、このコネクタ対によれば、それの使用中に、前記ケーブルにそれを引張る力が作用することがあっても、それが原因で第１および第２のコネクタが完全に外れてしまうか、そうではないにしても電気的な接触状態が不完全になってしまう事態の発生が回避される。
【００３２】
さらに、このコネクタ対によれば、第１および第２のコネクタが上述のように予定外に外れてしまう事態を想定せずに済むため、それらコネクタが予定外に離脱することを確実に防止するためにロック機構を設けるにしても、そのロック機構は、それらコネクタを小さな力で結合するもので足りる。
【００３３】
したがって、このコネクタ対によれば、メンテナンス、部品交換等のために第１および第２の部品を互いに分離することが必要である場合に、作業者は、その分離のためのコネクタの分離作業を小さな力で行うことが可能となり、作業性が向上する。
【００３４】
このように、このコネクタ対によれば、第１および第２のコネクタの予定外の離脱を防止しつつ、第１および第２のコネクタの意図的な分離を容易にすることが可能となる。
【００３５】
さらに、このコネクタ対においては、第１および第２のコネクタの第１および第２の接触具が、それら第１および第２のコネクタの嵌合状態において突き当て係合によって互いに電気的に接触する。
【００３６】
一方、それら第１および第２の接触具がピン−ソケット摩擦係合によって互いに接触するものである場合には、接触具の数に応じて接触具同士の嵌合力すなわちコネクタ同士の嵌合力が増す傾向がある。ここに、ピン−ソケット摩擦係合は、各コネクタに設けられたピンとソケットとが各側面同士において、それら側面間に摩擦力が発生してそれらの延びる方向において自己保持するように、互いに接合する現象を意味する。そのため、この場合には、接触具の数が多いほど、コネクタ同士を嵌合させるのに必要な力が大きくなり、装着作業性が悪化するとともに、コネクタ同士を分離させるのに必要な力も大きくなり、分離作業性も悪化する。
【００３７】
これに対し、本項に係るコネクタ対によれば、第１および第２の接触具がピン−ソケット摩擦係合によって互いに接触する場合とは異なり、各接触具の数の割にコネクタ同士の嵌合力が小さくて済む。接触具同士が突き当てられて係合するからである。
【００３８】
したがって、このコネクタ対によれば、接触具の数の増加にもかかわらず、コネクタ同士を嵌合させるのに必要な力もコネクタ同士を分離させるのに必要な力も小さくて済み、その結果、嵌合作業性も分離作業性も改善される。
【００３９】
（５）  前記第１および第２の接触面が、それぞれ前記嵌合方向に対して平行に延びるように形成され、それにより、前記嵌合方向において相手接触面にスライド可能に電気的は接触する（４）項に記載のコネクタ対。
【００４０】
このコネクタ対によれば、鯛１のコネクタ側の接触具の接触面と第２のコネクタ側の接触具の接触面とが、それらコネクタ同士の嵌合深さが増すにつれて、相対的にスライドしつつ互いに接触する。
【００４１】
（６）  前記第１および第２のハウジングに前記第１および第２の接触面がそれぞれ複数個、前記嵌合方向に対して平行な一平面上に配置されている（４）または（５）項に記載のコネクタ対。
【００４２】
このコネクタ対によれば、各コネクタの接触面が複数個存在する場合に、各コネクタのハウジングが、各コネクタにおいて複数個の接触面が並んでいる一平面に対して直角な方向における寸法に関し、それら接触面の数（一般的には接触具の数に相当する。）に応じて増加せずに済む。
【００４３】
（７）  前記第１および第２のハウジングに前記第１および第２の接触面がそれぞれ複数個、それらを前記嵌合方向において投影した場合に互いに重なり合うことがないように位置決めされて装着されている（５）または（６）項に記載のコネクタ対。
【００４４】
このコネクタ対においては、第１のコネクタ側の接触具の接触面と第２のコネクタ側の接触具の接触面とが、それらコネクタ同士の嵌合深さが増すにつれて、相対的にスライドしつつ互いに接触する。
【００４５】
そのため、この種のコネクタ対においては、ある接触面が、嵌合の完了時点において接触すべき相手接触面とは異なる接触面に、嵌合の途上において接触する可能性がある。
【００４６】
これに対し、本項に係るコネクタ対においては、各コネクタ側における各接触面が複数個、それら嵌合方向において投影した場合に互いに重なり合うことがないように配置されている。
【００４７】
したがって、このコネクタ対によれば、いずれの接触面も、嵌合の途上において本当の相手接触面ではない接触面に一時的にも接触せずに済む。
【００４８】
よって、このコネクタ対によれば、各接触面の磨耗量が軽減され、製品としての耐久性が向上する。
【００４９】
さらに、このコネクタ対によれば、各接触面が本当の相手接触面ではない接触面に一時的にも接触せずに済むから、例えば、コネクタ同士の嵌合を電源投入状態で行う場合に、電流・電圧が異常な向き・大きさで第１および第２の電気部品に流れずに済む。
【００５０】
（８）  互いに対応する第１および第２の接触面を１組とする複数組のうちの少なくとも一部が、各組に属する第１および第２の接触面が前記第１および第２のコネクタの相対位置が分離位置から装着位置に向かう際に最初に互いに電気的に接触する時期に関して互いに異なる（７）項に記載のコネクタ対。
【００５１】
このコネクタ対によれば、第１および第２のコネクタ間において互いに対応する接触面同士を１組とする複数組の各々に属する接触面同士が、コネクタ同士の相対位置が分離位置から装着位置に向かう際に、最初に互いに電気的に接触する接触時期に関する順序を、適正化することが可能となる。
【００５２】
（９）  前記第１および第２の接触面の少なくとも一方向に関し、それの複数個の接触面のうちの少なくとも一部が、各接触面の前記嵌合方向における長さに関して互いに異なる（８）項に記載のコネクタ対。
【００５３】
このコネクタ対によれば、複数個の接触面の少なくとも一部が、嵌合方向における長さに関して互いに異なるようにされることにより、上記接触時期の順序を適正化することが可能となる。
【００５４】
（１０）  前記第１および第２の接触面の少なくとも一方に関し、それの複数個の接触面のうちの少なくとも一部が、前記嵌合方向に対して直角に交差する一平面上において一列を形成しないように配置されている（６）ないし（９）項のいずれかに記載のコネクタ対。
【００５５】
このコネクタ対によれば、複数個の接触面の少なくとも一部が、嵌合方向に対して直角に交差する一平面上において一列を形成しないようにされることにより、一列を形成する場合より、互いに隣接した接触面間の距離が増加させられる。
その結果、このコネクタ対によれば、コネクタ同士がこじられてそれらの相対位置が正規の相対位置から多少ずれることがあっても、互いに対応しない接触面同士が予定外に接触してしまう可能性が軽減される。
【００５６】
（１１）  前記少なくとも一部の接触面が、前記一平面から交互に逆向きに離れる状態で並んで配置されている（１０）項に記載のコネクタ対。
【００５７】
このコネクタ対によれば、複数個の接触面の少なくとも一部であって嵌合方向に対して直角に交差する一平面上において一列を形成しないものが、その一平面から交互に逆向きに離れる状態で並んで配置される。
【００５８】
その結果、このコネクタ対によれば、例えば、複数個の接触面が上記一平面に対して交差する一方向において一列を形成する場合とは異なり、各コネクタのハウジングの嵌合方向における長さの増加を抑制しつつ、互いに隣接した接触面間の距離を増加させることが容易となる。
【００５９】
（１２）  前記第１および第２のハウジングがそれぞれ、互いに共通の横断面形状を有する（４）ないし（１１）項のいずれかに記載のコネクタ対。
【００６０】
このコネクタ対によれば、第１および第２のハウジングを互いに共通の製造方法（例えば、成型型を用いた製造方法を含む。）によって製造可能となり、製造のためのコストの削減が容易となる。さらに、製造過程および組立て過程においてそれらのハウジングを別々に管理することが不要となり、その結果、管理作業も容易となる。
【００６１】
（１３）  前記第１のコネクタが、静止部材としての受け側コネクタであり、前記第２のコネクタが、可動部材としての挿し側コネクタであって、前記受け側コネクタに挿入されて装着される一方、その受け側コネクタから抜去されて分離される（４）ないし（１２）項のいずれかに記載のコネクタ対。
【００６２】
このコネクタ対によれば、静止部材としての受け側コネクタと、可動部材としての挿し側コネクタとにより、それらコネクタ同士の予定外の分離を防止しつつ、意図された分離を容易に行うことが可能となる。
【００６３】
【発明の実施の形態】
以下、本発明のさらに具体的な実施の形態のいくつかを図面に基づいて詳細に説明する。
【００６４】
図１には、本発明の第１実施形態に従うパチンコ機が斜視図で示されている。このパチンコ機は、本体枠１０と、ガラス扉１２と、前皿部扉１４と、発射装置１６とを備えている。すなわち、本実施形態においては、パチンコ機が本発明における「遊技機」の一例を構成しているのである。このパチンコ機はパチンコホールに設置されて使用される。
【００６５】
本体枠１０には、それの前側において作業者により着脱可能に遊技盤２０が装着される。遊技盤２０は、本体枠１０のうち遊技盤２０に対面する部分に対して平行な姿勢で本体枠１０に装着されている。
【００６６】
遊技盤２０は、それの中央に遊技領域２２が設定されている。この遊技領域２２においては、図示しない複数本の釘が、パチンコ球との衝突によってそれの進路に影響を及ぼすために立設されている。
【００６７】
その遊技領域２２の外周においては、概して円弧状を成すレール２４が、発射装置１６により発射されたパチンコ球を遊技領域２２に誘導するために設けられている。発射装置１６は、遊技者による操作ハンドル２５の操作に応じた強度（速度）でパチンコ球を遊技領域２２に向かって発射する。
【００６８】
遊技領域２２には、さらに、遊技のために文字、図形等の情報を表示する表示装置２６も設けられている。
【００６９】
パチンコ機は、さらに、発射装置１６により発射されたパチンコ球が遊技盤２０の入賞口に入るのに応じて賞品としてパチンコ球を払い出す払出し装置２８（図２参照）を備えている。
【００７０】
図１に示すように、ガラス扉１２と前皿部扉１４とは、本体枠１０の高さ方向において互いに隣接した状態でその本体枠１０の前面を覆うように設計されている。それらガラス扉１２と前皿部扉１４とは、共に、本体枠１０の高さ方向に延びる回動軸線まわりの回動によりその本体枠１０に対して開閉可能とされている。その回動軸線は、本実施形態においては、パチンコ機の一対の側辺のうち向かって左側に位置するものに一致するように設定されている。
【００７１】
ガラス扉１２は、それの閉状態において、本体枠１０に装着された遊技盤２０の遊技領域２２をそれの前側から透視可能に覆うように設計されている。
【００７２】
これに対し、前皿部扉１４は、払出し装置２８により払い出されたパチンコ球を貯留する貯留機能を発揮する前皿部３０を有するように設計されている。前皿部３０は、前皿部扉１４の前面から前方に張り出させられている。
【００７３】
本実施形態においては、ガラス扉１２と前皿部扉１４とのうちガラス扉１２のみが、それの閉状態において、本体枠１０に装着された遊技盤２０の前面を覆うように設計されている。
【００７４】
図２に概念的にブロック図で示すように、払出し装置２８は第１制御基板３２によって電気的に制御され、一方、表示装置２６は第２制御基板３４によって電気的に制御される。それら第１および第２制御基板３２，３４は、接続装置３６によって互いに電気的にかつ機械的に接続される。
【００７５】
横断面図である図３を用いてそれら第１制御基板３２，第２制御基板３４および接続装置３６をさらに詳しく説明する。
【００７６】
第１制御基板３２は本体枠１０の背面に取り付けられ、第２制御基板３４は遊技盤２０の背面に取り付けられている。少なくとも第２制御基板３４は遊技盤２０に対して分離可能とされている。
【００７７】
接続装置３６の構成部分としては、本体枠１０に直に固定された受け側部分３８と、遊技盤２０に取り付けられた挿し側部分４０とがある。それら受け側部分３８と挿し側部分４０とは、図示しないケーブルにより，それぞれ対応する第１制御基板３２と第２制御基板３４とに接続されている。
【００７８】
受け側部分３８は、図１および図３に示すように、Ｃ字状断面を有して、本体枠１０の高さ方向に真直ぐに延びている。受け側部分３８は、本体枠１０の横方向における両側部のうちガラス扉１２の回動軸線に近い側部に位置決めされている。そして、受け側部分３８は、本体枠１０の反対側の側部を向く一側面において開口している。これにより、受け側部分３８には、挿し側部分４０を嵌合によって受け入れるスロット４２が形成される。
【００７９】
これに対し、挿し側部分４０は、厚さを有する板状をなしており、本体枠１０と平行に重なり合う姿勢で受け側部分３８に挿入されて装着される。この状態では、受け側部分３８に挿し側部分４０が機械的に、かつ、電気的に接続される。挿し側部分４０は、挿入方向とは逆向きの移動により、受け側部分３８から分離可能となっている。
【００８０】
受け側部分３８は、スロット４２の幅寸法Ｗが変化しないように構成されているため、挿し側部分４０の厚さ方向における変位が機械的に阻止され、その結果、挿し側部分４０は、本体枠１０と平行な方向の変位のみが許可される。
【００８１】
図３の（ａ）には、遊技盤２０と接続装置３６との位置関係が、遊技盤２０が接続装置３６に挿入される前の状態で示され、一方、同図の（ｂ）には、遊技盤２０が接続装置３６に挿入された状態で示されている。
【００８２】
ここで、作業者が遊技盤２０を接続装置３６に挿入するために実施すべき工程を説明する。
【００８３】
まず、作業者は、遊技盤２０の両側縁のうち接続装置３６に近いもの（図３においては左側の側縁）をスロット４２に、それの入口に形成された案内傾斜面４４に沿って、本体枠１０に対して斜めに挿入する。
【００８４】
ところで、図示しないが、遊技盤２０が接続装置３６から予定外に離脱してしまうことを防止するためのロック機構が、遊技盤２０の両側縁のうち接続装置３６から遠いもの（図３においては右側の側縁）の近傍に設けられている。
【００８５】
具体的には、このロック機構は、（ａ）本体枠１０から遊技盤２０に向かって突出して、遊技盤２０を厚さ方向に貫通する貫通穴を貫通する突出部と、（ｂ）その突出部が遊技盤２０から離脱することを阻止するロック部とを含むように構成されている。そのロック部は、作業者により、ロック位置と解除位置とに選択的に切り換えられる。
【００８６】
そのロック位置においては、遊技盤２０が本体枠１０に対して固定される一方、解除位置においては、遊技盤２０が本体枠１０に対してそれらの厚さ方向に移動することが許容される。ただし、その解除位置においては、上記突出部が遊技盤２０に貫通している限り、遊技盤２０がパチンコ機の横方向に平行移動することは、上記貫通穴が許容する範囲内でしか許容されない。
【００８７】
遊技盤２０のスロット４２への挿入開始時には、上記ロック部は解除位置に位置決めされているが、上記突出部は、遊技盤２０を貫通し得ない状態にある。それら突出部と遊技盤２０の上記貫通穴とが位置的に互いに合致しないからである。
【００８８】
上記突出部が遊技盤２０を貫通し得ない状態においては、その突出部は、遊技盤２０が本体枠１０に対して平行な姿勢を取ることを物理的に邪魔する。そのため、遊技盤２０をスロット４２に挿入するために、遊技盤２０の、パチンコ機の横方向における平行移動しか許容しないようにスロット４２が設計されていると、上記突出部の存在により、遊技盤２０をスロット４２に物理的に挿入することができない。
【００８９】
しかしながら、本実施形態においては、遊技盤２０のスロット４２への挿入開始時においては、遊技盤２０の左側縁は本体枠１０に接近する一方、右側縁は本体枠１０から離間した位置にあり、この位置においては、遊技盤２０と上記突出部との干渉が回避される。すなわち、その突出部の存在にもかかわらず、遊技盤２０のスロット４２への挿入開始が許容されるのである。
【００９０】
その後、作業者は、遊技盤２０をスロット４２により深く挿入し、その結果、上記突出部が遊技盤２０の上記貫通穴に位置的に合致するに至れば、その後、作業者は、遊技盤２０をスロット４２を中心に、遊技盤２０の右側縁が本体枠１０に接近する向きに回動させる。これにより、遊技盤２０が本体枠１０に対して平行となる。
【００９１】
その後、作業者は、遊技盤２０をスロット４２に十分に深く挿入すべく、遊技盤２０をパチンコ機の横方向に平行移動させ、これにより、スロット４２への挿入が完了する。その後、作業者は、上記ロック部をロック位置に位置決めし、これにより、遊技盤２０が本体枠１０に対して互いに平行な姿勢で固定される。
【００９２】
なお付言するに、本実施形態においては、接続装置３６においてスロット４２の位置が固定されているため、遊技盤２０は、パチンコ機の横方向における平行移動を含む移動によってスロット４２に挿入される。
【００９３】
これに対し、接続装置３６においてスロット４２の位置が可変である態様で本発明を実施することが可能である。例えば、接続装置３６の長さ方向（パチンコ機の縦方向）に対して平行に延びる一直線まわりにスロット４２が回転する態様で設計することが可能なのである。
【００９４】
この態様においては、遊技盤２０をスロット４２に挿入するに先立ち、スロット４２がパチンコ機の正面または正面に対して斜めを向いて開口する位置にスロット４２を位置決めすれば、遊技盤２０は、パチンコ機の横方向に対して傾斜した方向における平行移動によってスロット４２に挿入される。その挿入後、それらスロット４２と遊技盤２０とを一体的に上記直線まわりに回転させれば、両者は、本体枠１０に対して平行な位置に位置決めされる。
【００９５】
この態様によれば、遊技盤２０の、パチンコ機の横方向における平行移動距離をそのパチンコ機の横寸法内において確保することが不可欠ではなくなり、その結果、接続装置３６への挿入のために遊技盤２０の横寸法が犠牲になることが回避される。
【００９６】
以上の説明から明らかなように、本実施形態によれば、このパチンコ機の使用中に挿し側部分４０がそれの厚さ方向に振動することがあっても、それが原因で挿し側部分４０が接続装置３６から完全に外れてしまうか、そうではないにしても電気的な接触状態が不完全になってしまう事態の発生を回避できる。
【００９７】
さらに、本実施形態によれば、挿し側部分４０が上述のように接続装置３６から予定外に離脱してしまう事態を想定せずに済むため、挿し側部分４０が接続装置３６から予定外に離脱することを確実に防止するための前述のロック機構は、挿し側部分４０を接続装置３６に小さな力で結合するもので足りる。
【００９８】
したがって、本実施形態によれば、メンテナンス、部品交換等のために遊技盤２０を本体枠１０から分離することが必要である場合に、作業者は、その分離作業を小さな力で行うことが可能となり、作業性が向上する。
【００９９】
このように、本実施形態によれば、遊技盤２０の予定外の離脱を防止しつつ、遊技盤２０の意図的な分離を容易にすることが可能となる。
【０１００】
なお付言すれば、本実施形態においては、遊技盤２０が本体枠１０にそれの前側から装着されるようになっているが、後側から装着される形式のパチンコ機に本発明を適用することが可能である。このことは後述の他の実施形態についても同様である。
【０１０１】
次に、本発明の第２実施形態を説明する。ただし、本実施形態は第１実施形態と接続装置の構成に関してのみ異なり、他の要素に関しては、第１実施形態と共通するため、接続装置のみを詳細に説明し、共通する要素については同一の符号または名称を使用して引用することにより詳細な説明を省略する。
【０１０２】
第１実施形態においては、接続装置３６により、フレキシブルなケーブルを使用することなく遊技盤２０が本体枠１０に電気的および機械的に接続される。
【０１０３】
これに対し、本実施形態においては、コネクタ対により、フレキシブルなケーブルを使用して、遊技盤２０が本体枠１０に電気的に接続される。ただし、それら遊技盤２０と本体枠１０との機械的な接続は図示しない接続具によって行われる。
【０１０４】
図４には、第２実施形態に従うパチンコ機が示されている。このパチンコ機の接続装置は、本体枠１０に直に固定された受け側コネクタ６２と、遊技盤２０にフレキシブルなケーブル６３を経由して電気的に接続された挿し側コネクタ６４とにより構成されている。
【０１０５】
図５を用いてそれら受け側コネクタ６２と挿し側コネクタ６４とを詳しく説明する。
【０１０６】
受け側コネクタ６２は、有底で筒状を成すハウジング７０を備えている。ハウジング７０は、概して扁平な矩形断面で長さ方向に延びている。ハウジング７０は、具体的には、開口した入口部７２を有するとともに、その入口部７２と長さ方向において対向する底板部７４と、ハウジング７０の面方向に対して平行な上板部７６および下板部７８と、それら上板部７６および下板部７８を挟んで互いに対向する一対の側板部８０とを含むように構成されている。
【０１０７】
上板部７６には、それの幅方向の中央位置において、入口部７２から底板部７４まで延びる開口部８２が形成されている。その結果、上板部７６は、開口部８２を隔てて互いに対向する一対の縁部８４を含むように構成されている。
【０１０８】
下板部７８には、複数の接触具８６が取り付けられている。それら接触具８６は図５に示すようにハウジング７０の長さ方向に沿って２列を成している。各接触具８６は、図６に示すように、下板部７８の内面上に露出する接触面８８を備えている。複数の接触具８６の複数の接触面８８は、嵌合方向に対して平行な一平面上に配置されている。
【０１０９】
さらに、各接触具８６は、ハウジング７０から外部に突出したリード９０を有している。本実施形態においては、各リード９０はハウジング７０の面方向に対してフラットな形状を有しているが、それ以外の形状を採用することも可能である。
【０１１０】
図５に示すように、挿し側コネクタ６４は、受け側コネクタ６２に挿入によって嵌合する形状を有している。具体的には、挿し側コネクタ６４は、受け側コネクタ６２のハウジング７０の上板部７６における一対の縁部８４にそれぞれスライド可能に嵌合する一対の溝９４を備えている。
【０１１１】
この挿し側コネクタ６４のハウジング９２には、それの厚さ方向に延びる貫通穴９６が複数設けられており、各貫通穴９６には、図６に示すように、接触具１００が挿入される。この接触具１００にはケーブル６３が圧着（または圧接）によって固定されて接続される。それら複数の貫通穴９６は、嵌合完了時に、受け側コネクタ６２のハウジング７０の下板部７８に配置された複数の接触具８６とそれぞれ対応する位置に配置されている。
【０１１２】
図７に示すように、各接触具１００は、中空の矩形断面で真直ぐに延びる本体部１０２を備えている。さらに、各接触具１００は、本体部１０２の下端から一体的に延びる接触片１０４を備えている。各接触片１０４は、弾性変形可能になっている。各接触片１０４は、受け側コネクタ６２の各接触面８８に嵌合方向においてスライド可能に接触させられる。
【０１１３】
各接触具１００の本体部１０２には、その一側面に穴１０６が設けられている。その穴１０６には、その接触具１００が挿し側コネクタ６４の貫通穴９６に挿入された後に、予定外に離脱することを防止するための突起１０９（図８参照）がハウジング９２側から嵌入する。
【０１１４】
図５に示すように、受け側コネクタ６２には、ハウジング７０の下板部７８のうち入口部７２に接する部分につめ部１１０が一体的に形成されている。このつめ部１１０はロック機構を構成している。このロック機構は、挿し側コネクタ６４が受け側コネクタ６２へ挿入する際には、つめ部１１０がそれの初期位置から挿し側コネクタ６４から逃げる向きに弾性変形させられてロック解除状態となり、一方、挿し側コネクタ６４が受け側コネクタ６２へ完全に嵌合した後には、つめ部１１０が初期位置に弾性回復して、挿し側コネクタ６４が予定外に離脱しないロック状態に切り換わる。
【０１１５】
したがって、本実施形態によれば、それの使用中に、ケーブル６３にそれを引張る力が作用することがあっても、それが原因で受け側および挿し側のコネクタ６２，６４が完全に外れてしまうか、そうではないにしても電気的な接触状態が不完全になってしまう事態の発生が回避される。
【０１１６】
さらに、本実施形態によれば、受け側および挿し側のコネクタ６２，６４が上述のように予定外に外れてしまう事態を想定せずに済むため、それらコネクタ６２，６４が予定外に離脱することを確実に防止するためのロック機構は、それらコネクタ６２，６４を小さな力で結合するもので足りる。
【０１１７】
したがって、本実施形態によれば、メンテナンス、部品交換等のために遊技盤２０を本体枠１０から分離することが必要である場合に、作業者は、その分離のためのコネクタ６２，６４の分離作業を小さな力で行うことが可能となり、作業性が向上する。
【０１１８】
図８には、コネクタ対６２，６４のうち、受け側コネクタ６２の各接触面８８と、挿し側コネクタ６４の各接触具１００の接触片１０４とに関連する部分が拡大されて縦断面図で示されている。縦断面図は、ハウジング７０の長さ方向すなわち嵌合方向に延びる垂直面でコネクタ対６２，６４を切断することによって描かれる図面である。
【０１１９】
図８に示すように、本実施形態においては、接触面８８が平坦面とされる一方、接触片１０４により形成される接触面１０８は、その平坦な接触面８８に向かって凸となるように湾曲させられている。
【０１２０】
すなわち、本実施形態においては、平坦な接触面８８と凸に湾曲させられた接触面１０８とが、ピン−ソケット摩擦係合によってではなく、接触具１００の長さ方向（すなわち、前記嵌合方向と交差する方向）に単に突き当てられて係合させられているのである。
【０１２１】
図９には、それら接触面８８，１０８同士による突き当て係合の一変形例が示されている。この変形例においては、受け側コネクタ６２の接触面８８に凹み１１４が形成され、その凹みに、凸に湾曲させられた接触面１０８が突き当てられている。この変形例も、本発明の範囲に包含される。
【０１２２】
図１０には、それら接触面８８，１０８同士による突き当て係合の別の変形例が縦断面図で複数示されている。
【０１２３】
同図の（ａ）には、受け側コネクタ６２の接触具８６の接触面８８のうち、挿し側コネクタ６４の接触具１００の接触面１０８と対向する部分が、凸面として形成される一方、接触面１０８のうち接触面８８と対向する部分が、平面として形成されている。
【０１２４】
同図の（ｂ）には、接触面８８の側に凸面が形成される一方、接触面１０８の側に、その凸面を補完する凹面が形成されている。
【０１２５】
同図の（ｃ）には、接触面８８の側に、中央に第１凸面、それの周囲に第１凹面が形成される一方、接触面１０８の側に、中央にその第１凸面を補完する第２凹面、それの周囲に上記第１凹面を補完する第２凸面が形成されている。ただし、接触面８８の側に形成される面を平面とすることが可能である。
【０１２６】
同図の（ｄ）には、接触面８８の側にも接触面１０８の側にも凸面が形成されている。
【０１２７】
同図の（ｅ）には、接触面８８の側にも接触面１０８の側にも、同図の（ｄ）より平らな凸面が形成されている。
【０１２８】
ところで、図５に示すように、本実施形態においては、受け側および挿し側のコネクタ６２，６４の各ハウジング７０，９２の横断面形状（幅方向断面形状）が、それらの高さ方向（厚さ方向）に延びる中心線に関して両側が互いに対称となるように設計されている。
【０１２９】
そのため、挿し側コネクタ６４のハウジング９２を、その長さ方向における前側部１１６と後側部１１８とを逆にして受け側コネクタ６２のハウジング７０に挿入することが可能となり、よって、作業者による挿入向きのミスの可能性を完全には排除できない。
【０１３０】
このため、図１１には、作業者による挿入向きのミスの可能性を完全に排除するために、挿し側コネクタ６４のハウジング９２の横断面形状の２つの変形例が示されている。
【０１３１】
２つの変形例はいずれも、ハウジング９２の高さ方向に延びる中心線に関して両側が互いに非対称となるように設計されている。具体的には、同図の（ａ）に示す変形例においては、ハウジング９２の高さ方向に延びる中心線に関して両側の溝１２０，１２２の幅寸法が互いに異なっている。
【０１３２】
これに対し、同図の（ｂ）に示す変形例においては、ハウジング９２の高さ方向に延びる中心線に関して両側の溝１２４，１２６の形状の種類が互いに異なっている。
【０１３３】
これにより、挿し側コネクタ６４のハウジング９２を、その長さ方向における前側部１１６と後側部１１８とを逆にして受け側コネクタ６２のハウジング７０に挿入することが物理的に不可能となり、よって、作業者による挿入向きのミスの可能性を完全に排除できるのである。
【０１３４】
図１２には、受け側コネクタ６２と挿し側コネクタ６４とのそれぞれが縦断面図（長さ方向断面図）で示されている。本実施形態においては、挿し側コネクタ６４が受け側コネクタ６２に平行に挿入されるようになっている。
【０１３５】
具体的には、受け側コネクタ６２のハウジング７０の下板部７８は、挿入方向に対して平行に延びるとともに、その方向において厚さが均一になっている。同様に、ハウジング７０の上板部７６も、挿入方向に対して平行に延びるとともに、その方向において厚さが均一になっている。したがって、受け側のハウジング７０の内部の空間１３０も、挿入方向に対して平行に延びるとともに、その方向において厚さが均一になっている。
【０１３６】
これに対し、挿し側コネクタ６４のハウジング９２は、受け側コネクタ６２のハウジング７０の内部の空間１３０を補完する形状を有している。挿し側コネクタ６４のハウジング９２のうち空間１３０に収容される被収容部分１３２の厚さは、挿入方向において均一である。
【０１３７】
図１３には、図１２に示す縦断面形状に対する２つの変形例が示されている。同図の（ａ）に示す変形例においては、挿し側コネクタ６４が受け側コネクタ６２に平行に挿入されるとともに、両者の嵌合状態では傾斜面を使ってコネクタ６２，６４間にそれらの厚さ方向に接触力を付与し、その結果、それらコネクタ６２，６４間にそれらの嵌合方向（各コネクタ６２，６４の長さ方向）に大きな嵌合力が発生可能となっている。
【０１３８】
この嵌合力は、それらコネクタ６２，６４を互いに分離しようとする力に対抗して発生する力であって、見かけ上、テンションとして発生する力である。この嵌合力が大きいほど、それらコネクタ６２，６４が予定外に互いに分離する可能性が減少する。
【０１３９】
具体的に説明すれば、受け側コネクタ６２においては、ハウジング７０の下板部７８は図１２におけると同様に、挿入方向に対して平行、かつ、厚さが均一である。ハウジング７０の上板部１４０の厚さは、底板部７４に向かうにつれて漸増するようになっている。具体的には、上板部１４０の外面は下板部７８に対して平行であるが、内面は底板部７４に向かうにつれて下板部７８との距離が減少する向きに傾斜している。
【０１４０】
これに対し、挿し側コネクタ６４のハウジング９２は、受け側コネクタ６２のハウジング７０の内部の空間１４２を補完する形状を有している。ただし、嵌合状態では、受け側のハウジング７０の長さ方向における各位置において、そのハウジング７０内の空間１４２の厚さより、挿し側のハウジング９２のうちその空間１４２に収容される被収容部分１４４の厚さがわずかに大きく設計されている。このような厚さの不一致により、嵌合状態において、受け側コネクタ６２と挿し側コネクタ６４との間にそれらの厚さ方向に接触力が付与される。
【０１４１】
さらに、被収容部分１４４の先頭部分の厚さが受け側コネクタ６２のハウジング７０内の空間１４２の入口部７２の厚さより小さく設計されているため、挿し側コネクタ６４の前側部１１６を受け側コネクタ６２の入口部７２内に挿入する作業が容易になる。
【０１４２】
一方、図１３（ｂ）に示す変形例においては、挿し側コネクタ６４が、受け側コネクタ６２に斜めに挿入されるとともに、嵌合完了時に初めて受け側コネクタ６２および挿し側コネクタ６４の接触面８８，１０８同士が接触して、互いに接触力を及ぼし合う。すなわち、嵌合の途上では、接触面８８，１０８同士は互いに接触しないようになっているのである。
【０１４３】
具体的には、受け側コネクタ６２においては、ハウジング７０の下板部７８が、図１２におけると同様に、挿入方向に対して平行、かつ、厚さが均一である。一方、ハウジング７０の上板部１５０は、挿入方向に対して全体的に傾斜している。すなわち、上板部１５０は全体として、底板部７４に向かうにつれて下板部７８との距離が減少する向きに傾斜しているのである。
【０１４４】
これに対し、挿し側コネクタ６４のハウジング９２は、受け側コネクタ６２のハウジング７０の内部の空間１５２を補完する形状を有している。ただし、嵌合状態では、受け側コネクタ６２のハウジング７０の長さ方向における各位置において、そのハウジング７０内の空間１５２の厚さより、挿し側コネクタ６４のハウジング９２のうち空間１５２に収容される被収容部分１５４の厚さがわずかに大きく設計されている。このような厚さの不一致により、嵌合状態において、受け側コネクタ６２と挿し側コネクタ６４との間にそれらの厚さ方向に接触力が付与される。
【０１４５】
さらに、被収容部分１５４の先頭部分の厚さが受け側ハウジング７０内の空間１５２の入口部７２の厚さより小さいため、挿し側コネクタ６４の前側部１１６を受け側コネクタ６２の入口部７２内に挿入する作業が容易になる。
【０１４６】
次に、本発明の第３実施形態を説明する。ただし、本実施形態は第２実施形態と各コネクタの構成および嵌合方向に関して異なるのみで、他の要素については共通するため、異なる要素についてのみ詳細に説明し、共通する要素については同一の符号または名称を使用して引用することにより、詳細な説明を省略する。
【０１４７】
第２実施形態においては、各ハウジング７０，９２の長さ方向がそれらの嵌合方向に選定されるとともに、各ハウジング７０，９２において各列に属する複数の接触面８８，１０８が、それらを嵌合方向に投影した場合に互いに重なり合うように配置されている。
【０１４８】
これに対し、本実施形態においては、各ハウジングの幅方向がそれらの嵌合方向に選定されるとともに、各ハウジングにおいて複数の接触面が、それらを嵌合方向において投影した場合に互いに重なり合わないように配置されている。
【０１４９】
具体的には、図１４に示すように、本実施形態に従うコネクタ対は、受け側コネクタ１８０と挿し側コネクタ１８２とを含むように構成されている。
【０１５０】
受け側コネクタ１８０は、扁平な直方体を成すハウジング１８４を備えている。このハウジング１８４は、開口した入口部１８６を有するとともに、その入口部１８６とハウジング１８４の幅方向（図１４においては上下方向と一致する）において対向する底板部１８８と、ハウジング１８４の面方向に対して平行な（長さ方向と幅方向との双方に対して平行な）上板部１９０および下板部１９２と、それら上板部１９０および下板部１９２を挟んで互いに対向する一対の側板部１９４とを含むように構成されている。
【０１５１】
上板部１９０には、それの幅方向の中央位置において、入口部１８６から底板部１８８まで延びる開口部１９６が形成されている。その結果、上板部１９０は、開口部１９６を隔てて互いに対向する一対の縁部１９８を含むように構成されている。
【０１５２】
下板部１９２には、複数の接触具２００，２０２，２０４が取り付けられている。それら接触具２００，２０２，２０４は、接地端子に接続される接触具２００と、電源端子に接触される接触具２０２と、複数の信号端子にそれぞれ接続される複数の接触具２０４とを含んでいる。それら複数の接触具２００，２０２，２０４のそれぞれの接触面２０６，２０８，２１０は、一平面上に配置されている。
【０１５３】
挿し側コネクタ１８２は、受け側コネクタ１８０に挿入によって嵌合する形状を有している。具体的には、挿し側コネクタ１８２は、受け側コネクタ１８０のハウジング１８４の上板部１９０における一対の縁部１９８にそれぞれスライド可能に嵌合する一対の溝２１２，２１２を備えている。
【０１５４】
この挿し側コネクタ１８２には、第１実施形態と同様に、それの厚さ方向に延びる貫通穴２１４，２１６，２１８が複数設けられており、各貫通穴２１４，２１６，２１８に接触具１００が挿入される。それら複数の貫通穴２１４，２１６，２１８は、嵌合状態において、受け側コネクタ１８０のハウジング１８４の下板部１９２に配置された複数の接触具２００，２０２，２０４の位置とそれぞれ対応する位置に配置されている。
【０１５５】
図１４に示すように、受け側コネクタ１８０の複数の接触面２０６，２０８，２１０は、それらを嵌合方向において投影した場合に互いに重なり合うことがないように配置されている。このことは、挿し側コネクタ１８２の複数の接触面２２０，２２２，２２４についても同様である。
【０１５６】
したがって、本実施形態によれば、いずれの接触面２０６，２０８，２１０，２２０，２２２，２２４も、嵌合の途上において本当の相手接触面ではない接触面に一時的にも接触せずに済む。
【０１５７】
よって、本実施形態によれば、各接触面２０６，２０８，２１０，２２０，２２２，２２４の磨耗量が軽減され、製品としての耐久性が向上する。
【０１５８】
さらに、本実施形態によれば、各接触面２０６，２０８，２１０，２２０，２２２，２２４が本当の相手接触面ではない接触面に一時的にも接触せずに済むから、例えば、コネクタ同士の嵌合を電源投入状態で行う場合に、電流・電圧が異常な向き・大きさで受け側および挿し側のコネクタに接続されている電気部品に流れずに済む。
【０１５９】
それら複数の接触面２０６，２０８，２１０，２２０，２２２，２２４は、受け側コネクタ１８０と挿し側コネクタ１８２との相対位置が分離位置から装着位置に向かう際に、互いに電気的に接触する時期に関して互いに異なるように配置されている。
【０１６０】
具体的には、図１４に示すように、コネクタ１８０，１８２同士の相対位置が分離位置から装着位置に向かう際に、初めに、接地端子に接続される接触面２０６，２２０同士が接触する。次に、電源端子に接触される接触面２０８，２２２同士が接触し、最後に、信号端子に接触される複数の接触面２１０，２２４同士がほぼ一斉に接触する。
【０１６１】
このように接触時期を異ならせるため、接触面２０６，２０８，２１０，２２０，２２２，２２４の嵌合方向における長さが、接地端子に接続される接触面２０６，２２０が一番長く、電源端子に接触される接触面２０８，２２２が次に長く、信号端子に接触される複数の接触面２１０，２２４が一番短く構成されている。
【０１６２】
したがって、本実施形態によれば、受け側および挿し側のコネクタ１８０，１８２間において互いに対応する接触面同士を１組とする複数組の各々に属する接触面同士が、コネクタ１８０，１８２同士の相対位置が分離位置から装着位置に向かう際に最初に互いに電気的に接触する接触時期に関する順序を、適正化することが可能となる。
【０１６３】
なお付言すれば、上記のように接触時期に関する順序を適正化するために、受け側コネクタ１８０と挿し側コネクタ１８２との双方において接触面２０６，２２０，２０８，２２２の長さを接触面２１０，２２４より長くすることは不可欠ではない。そのような接触面の長さに関する条件は、受け側コネクタ１８０と挿し側コネクタ１８２とのいずれか一方において成立すれば足り、それらコネクタ１８０，１８２のうちの他方においては、すべての接触面が同じ長さを有するものとすることが可能である。
【０１６４】
ただし、この場合、その他方のコネクタにおける２個の接触面であって、接地端子に接続された接触面および電源端子に接続された接触面の各位置は、コネクタ１８０，１８２同士の完全嵌合状態において、相手のコネクタにおける対応接触面のうちの先端部に対応する位置であることが必要である。
【０１６５】
図１４に示すように、本実施形態においては、受け側および挿し側のコネクタ１８０，１８２の複数の接触面２０６，２０８，２１０，２２０，２２２，２２４のうち少なくとも１部が、嵌合方向に対して直角に交差する一平面上において一列を形成しないように配置されるとともに、その一平面から交互に逆向きに離れる状態で配置されている。
【０１６６】
したがって、本実施形態によれば、それら接触面２０６，２０８，２１０，２２０，２２２，２２４がすべて一列を形成する場合と比べて、同一平面上において互いに隣接した接触面間の距離が増加させられる。
【０１６７】
その結果、本実施形態によれば、コネクタ１８０，１８２同士がこじられてそれらの相対位置が正規の相対位置から多少ずれることがあっても、互いに対応しない接触面同士が予定外に接触してしまう可能性が軽減される。
【０１６８】
さらに、本実施形態においては、図１４に示すように、それら接触面２０６，２０８，２１０，２２０，２２２，２２４が、上記平面から交互に逆向きに離れる状態で配置されている。したがって本実施形態によれば、上記平面に対して交差するように一列を形成する場合と比べて、各コネクタ１８０，１８２のハウジングの嵌合方向における長さの増加を抑制しつつ、互いに隣接した接触面間の距離を増加させることが容易となる。
【０１６９】
なお付言すれば、本実施形態においては、接地端子に接続される接触面の長さと、電源端子に接続される接触面の長さとが、信号端子に接続される接触面の長さより長くなるようにする設計レイアウトが、両コネクタ１８０，８１２について採用されているが、各接触面同士の接触時期間に時間差を発生させるためには、いずれかのコネクタのみについてその設計レイアウトを採用すれば足り、両コネクタ１８０，１８２について採用することは不可欠ではない。
【０１７０】
次に、本発明の第４実施形態を説明する。ただし、本実施形態は第２および第３の実施形態と各コネクタの構成に関してのみ異なり、他の要素に関しては、第２および第３の実施形態と共通するため、各コネクタの構成のみを詳細に説明し、共通する要素については同一の符号または名称を使用して引用することにより詳細な説明を省略する。
【０１７１】
第２および第３の実施形態においては、受け側および挿し側のコネクタ６２，６４が、ハウジングの形状および接触具の形状のいずれに関しても互いに異なっている。
【０１７２】
これに対し、本実施形態においては、両コネクタが、ハウジングの形状および接触具子の形状のいずれに関しても互いに共通するように構成されている。
【０１７３】
図１５の（ａ）には、本実施形態に伴う受け側コネクタ２４０が、（ｂ）には、挿し側コネクタ２４２がそれぞれ示されている。それら図から明らかなように、両コネクタ２４０，２４２はハウジング２４４，２４６の形状および接触具１００の形状に関して互いに共通している。
【０１７４】
したがって、本実施形態によれば、受け側コネクタ２４０および挿し側コネクタ２４２のハウジング２４４，２４６を互いに共通の製造方法（例えば、成型型を用いた製造方法を含む。）によって製造可能となり、製造のためのコストの削減が容易となる。さらに、製造過程および組立て過程においてそれらのハウジング２４４，２４６を別々に管理することが不要となり、その結果、管理作業も容易となる。このことは、各コネクタ２４０，２４２用の接触具１００についても同様である。
【０１７５】
次に、本発明の第５実施形態を説明する。ただし、本実施形態は第２実施形態と接続装置の構成に関してのみ異なり、他の要素に関しては、第２実施形態と共通するため、接続装置のみを詳細に説明し、共通する要素については同一の符号または名称を使用して引用することにより詳細な説明を省略する。
【０１７６】
第２実施形態においては、挿し側コネクタ６４のみ、フレキシブルなケーブル６３を使用して遊技盤２０が電気的に接続され、受け側コネクタ６２は、フレキシブルなケーブル６３を使用することなく本体枠１０に固定されていた。
【０１７７】
これに対し、本実施形態においては、挿し側コネクタ６４のみならず受け側コネクタ６２も、フレキシブルなケーブル６３，２６０を使用して、それぞれ対応する遊技盤２０または本体枠１０に電気的に接続されている。
【０１７８】
具体的には、図１６に示すように、本体枠１０および遊技盤２０がコネクタ６２，６４にそれぞれフレキシブルなケーブル２６０，６３を経由して電気的に接続されている。
【０１７９】
したがって、本実施形態によれば、共に可動部材としての受け側コネクタ６２と挿し側コネクタ６４とにより、それらコネクタ６２，６４同士の予定外の分離を防止しつつ、意図された分離を容易に行うことが可能となる。
【０１８０】
以上、本発明のいくつかの実施形態を図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の第１実施形態に従うパチンコ機を示す斜視図である。
【図２】図１のパチンコ機のうち払出し装置２８と表示装置２６とを含む電気系統を概念的に示すブロック図である。
【図３】図１のパチンコ機の要部を遊技盤２０が本体枠１０に装着される前と装着された後とについて示す横断面図である。
【図４】本発明の第２実施形態に従うパチンコ機の要部を示す横断面図である。
【図５】図４のパチンコ機における接続装置である受け側コネクタ６２と挿し側コネクタ６４とを示す斜視図である。
【図６】図５のコネクタ対６２，６４を嵌合状態で示す横断面図である。
【図７】図５における挿し側コネクタ対６２，６４の接触具１００を示す斜視図である。
【図８】図５のコネクタ対６２，６４の接触具８６，１００を接触状態で示す縦断面図である。
【図９】図８のコネクタ対６２，６４の接触具８６，１００の一変形例を接触状態で示す縦断面図である。
【図１０】図８のコネクタ対６２，６４の接触具８６，１００の別の変形例を複数、接触状態で示す縦断面図である。
【図１１】図５のコネクタ対６２，６４の一変形例を示す横断面図である。
【図１２】図５の受け側コネクタ６２と挿し側コネクタ６４とをそれぞれ示す縦断面図である。
【図１３】図１２のコネクタ対６２，６４の２つの変形例を示す縦断面図である。
【図１４】本発明の第３実施形態に従うパチンコ機におけるコネクタ対１８０，１８２を示す平面図である。
【図１５】本発明の第４実施形態に従うパチンコ機における受け側コネクタ２４０と挿し側コネクタ２４２とをそれぞれ示す横断面図である。
【図１６】本発明の第５実施形態に従うパチンコ機の要部を示す横断面図である。
【符号の説明】
１０  本体枠
２０  遊技盤
３６  接続装置
６２，１８０，２４０  受け側コネクタ
６３，２６０  ケーブル
６４，１８２，２４２  挿し側コネクタ
８６，１００，２００，２０２，２０４  接触具
【図１】
2004350718.tif 000003
【図２】
2004350718.tif 000004
【図３】
2004350718.tif 000005
【図４】
2004350718.tif 000006
【図５】
2004350718.tif 000007
【図６】
2004350718.tif 000008
【図７】
2004350718.tif 000009
【図８】
2004350718.tif 000010
【図９】
2004350718.tif 000011
【図１０】
2004350718.tif 000012
【図１１】
2004350718.tif 000013
【図１２】
2004350718.tif 000014
【図１３】
2004350718.tif 000015
【図１４】
2004350718.tif 000016
【図１５】
2004350718.tif 000017
【図１６】
2004350718.tif 000018